(57)【要約】【課題】遊技領域と平行に開閉される開閉体が遊技領域を狭くしないようにする。【解決手段】球取入口部７が遊技領域６４から球を進入させない内部領域を囲む前仕切壁６の上部に設けられ、開閉体８が球取入口部７に設けられて開閉軸２１を中心として遊技領域６４と平行しつつ上下方向に開閉し、開閉体８が球取入口部７の左右方向の最大外径Ｈ１の範囲内で開くので、前仕切壁６の左右方向の最大外径Ｈ２が遊技領域６４の左右方向の最大外径の例えば半分程度に大きく設定されても、開いた開閉体８が最大外径Ｈ２と遊技領域６４の左右方向の最大外径との間の隙間を狭くすることがなく、最大外径Ｈ２と遊技領域６４の左右方向の最大外径との間の隙間に遊技釘や風車あるいは入賞部品などの障害部材を配置して、球の流れに変化を多く与えられたり、球が入賞したり入賞しなかったりすることが多くなり、遊技性が向上する。【選択図】図１
2008005978.tif 000002
【特許請求の範囲】
【請求項１】
遊技基盤の遊技領域に取り付けられる可変入賞装置であって、遊技領域から球を進入させない内部領域を囲む前仕切壁と、遊技領域から球を内部領域に進入させるために前仕切壁の上部に設けられた球取入口部と、球取入口部を遊技領域から球を取り込めないように閉鎖したり遊技領域から球を取り込めるように開放したりするために開閉軸を中心として遊技領域と平行しつつ上下方向に開閉するように球取入口部に設けられた開閉体とを備え、開閉体が前仕切壁の左右方向の最大外径の範囲内で開くことを特徴とするパチンコ遊技機の可変入賞装置。
【請求項２】
請求項１記載の開閉軸が閉じられた開閉体と前仕切壁とからなる環状の内周縁よりも内部領域の側に位置をずらして設けられたことを特徴とするパチンコ遊技機の可変入賞装置。
【請求項３】
請求項１記載の開いた開閉体から排出された球を取り込む入球検出口部、入球検出口部から排出された球を横方向に導出する球導出通路、球導出通路から排出された球を前仕切壁に沿って内部領域の中段に誘導する球誘導通路が通過する球を可変入賞装置の前側から見えるように形成されたことを特徴とするパチンコ遊技機の可変入賞装置。
【請求項４】
請求項１記載の開閉軸が開閉体の左右方向の幅における中央部の側に設けられたことを特徴とするパチンコ遊技機の可変入賞装置。
【発明の詳細な説明】
【技術分野】
【０００１】
本発明は、遊技領域と平行に開閉される開閉体が遊技領域を狭くしないようにするパチンコ遊技機の可変入賞装置に関する。
【背景技術】
【０００２】
パチンコ遊技機の可変入賞装置には、次の構造が知られている。それは、遊技基盤の遊技領域から球を進入させない内部領域を囲む前仕切壁の左右部に球取入口部を設け、開閉体が球取入口部に設けられて開閉軸を中心として遊技領域と平行しつつ左右方向に開閉する。図７は、可変入賞装置７５が遊技基盤６３の遊技領域６４に設けられた正面を示す。図７において、６２は遊技盤、６５は内ガイドレール、６６は外ガイドレール、６７は球発射通路である。可変入賞装置７５は、遊技基盤６３の遊技領域６４に取り付けられる部品基盤７６を備え、部品基盤７６の前面に前仕切壁７７を備え、前仕切壁７７の左右部に球取入口部７８を備え、球取入口部７８に開閉体７９を備える。前仕切壁７７は、遊技領域６４から球を進入させない内部領域８０を囲む塀である。開閉体７９は、実線および仮想線で示すように下部の開閉軸８１を中心として、遊技領域６４と平行しつつ左右方向に開閉する。そして、可変入賞装置７５が遊技領域６４を左右方向に広く占有する場合、例えば、遊技領域６４の左右方向の最大内径Ｈ３が４３センチメートル、前仕切壁７７の左右方向の最大外径Ｈ４が２０センチメートルに設定されるように、最大外径Ｈ４が最大内径Ｈ３の半分程度となるように大形に形成された場合において、開閉体７９が実線で示す閉鎖状態から仮想線で示す開放状態になると、開いた開閉体７９の開放側端部と内ガイドレール６５との間の隙間Ｈ５が狭くなる。このように、開閉体７９の開閉範囲内や隙間Ｈ５に遊技釘などの障害部材を設けることが困難となり、球発射通路６７から遊技領域６４に発射された球が遊技領域６４の上部から自重落下する場合、自重落下する球のほとんどが遊技領域６４から開いた開閉体７９および球取入口部７８を経由して前仕切壁７７で囲まれた内部領域に取り込まれ、球の流れに変化を与えることが少なく、球が入賞したり入賞しなかったりすることが少なくなり、遊技性に欠けるという欠点がある。
【特許文献１】特開平４−２７９１８７号公報
【特許文献２】特開平５−１８４７１６号公報
【発明の開示】
【発明が解決しようとする課題】
【０００３】
発明が解決しようとする問題点は、前仕切壁の最大外径の大形化に伴い、開いた開閉体が遊技領域を狭くし、遊技性に欠けるという点である。
【課題を解決するための手段】
【０００４】
本発明に係るパチンコ遊技機の可変入賞装置は、遊技基盤の遊技領域に取り付けられる可変入賞装置であって、遊技領域から球を進入させない内部領域を囲む前仕切壁と、遊技領域から球を内部領域に進入させるために前仕切壁の上部に設けられた球取入口部と、球取入口部を遊技領域から球を取り込めないように閉鎖したり遊技領域から球を取り込めるように開放したりするために開閉軸を中心として遊技領域と平行しつつ上下方向に開閉するように球取入口部に設けられた開閉体とを備え、開閉体が前仕切壁の左右方向の最大外径の範囲内で開くことを最も主要な特徴とする。開閉軸が閉じられた開閉体と前仕切壁とからなる環状の内周縁よりも内部領域の側に位置をずらして設けられたり、または、開いた開閉体から排出された球を取り込む入球検出口部、入球検出口部から排出された球を横方向に導出する球導出通路、球導出通路から排出された球を前仕切壁に沿って内部領域の中段に誘導する球誘導通路が通過する球を可変入賞装置の前側から見えるように形成されたり、または、開閉軸が開閉体の左右方向の幅における中央部の側に設けられたりしてもよい。
【発明の効果】
【０００５】
本発明に係るパチンコ遊技機の可変入賞装置は、球取入口部が遊技領域から球を進入させない内部領域を囲む前仕切壁の上部に設けられ、開閉体が開閉軸を中心として遊技領域と平行しつつ上下方向に開閉するように球取入口部に設けられ、開閉体が前仕切壁の左右方向の最大外径の範囲内で開くので、前仕切壁の左右方向の最大外径が遊技領域の左右方向の最大外径の半分程度に大きく設定されても、開いた開閉体が前仕切壁の左右方向の最大外径と遊技領域の左右方向の最大外径との間の隙間を狭くすることがなく、前仕切壁の左右方向の最大外径と遊技領域の左右方向の最大外径との間の隙間に遊技釘や風車あるいは入賞部品などの障害部材を配置して、球の流れに変化を多く与えられたり、球が入賞したり入賞しなかったりすることが多くなり、遊技性を向上することができるという利点がある。開閉軸が閉じられた開閉体と前仕切壁とからなる環状の内周縁よりも内部領域の側に位置をずらして設けられれば、開閉体が開いた場合において、開閉体の開放側端部が前仕切壁よりも上方に突出する距離は、開閉軸が開閉体の裏側に位置するように設けられた場合よりも少なくなり、遊技釘などの障害部材が開閉体の開閉に支障を来たすことのない範囲で可変入賞装置の近くに位置するように遊技基盤に設けられるという利点がある。開いた開閉体から排出された球を取り込む入球検出口部、入球検出口部から排出された球を横方向に導出する球導出通路、球導出通路から排出された球を前仕切壁に沿って内部領域の中段に誘導する球誘導通路が通過する球を可変入賞装置の前側から見えるように形成されれば、遊技領域から、開いた開閉体、球取入口部、入球検出部、球導出通路、球誘導通路を順に経由して内部領域の中段に到達するまでの球を、可変入賞装置の前側から遊技者に見せることができるという利点がある。開閉軸が開閉体の左右方向の幅における中央部の側に設けられれば、開閉体が開いた場合において、開閉体の開放側端部が前仕切壁よりも上方に突出する距離は、開閉軸が開閉体の右側端部の側に設けられた場合よりも少なくなり、遊技釘などの障害部材が開閉体の開閉に支障を来たすことのない範囲で可変入賞装置の近くに位置するように遊技基盤に設けられるという利点がある。
【発明を実施するための最良の形態】
【０００６】
図１乃至図５は、発明を実施するための最良の形態である。図１は、パチンコ遊技機の可変入賞装置１の正面を示す。図２は、開閉駆動機構２６を模式的に示す。図３のａ図は、開かれた開閉体８の作用を示す。図３のｂ図は、開閉体８の周りを縦方向に切断して示す。図４は、可変入賞装置１の上部を分解して示す。図５は、パチンコ遊技機の正面を示す。本明細書において、「前」、「表」、「後」、「裏」、「左」、「右」、「上」、「下」の方向は、図５の状態に遊技機枠５１および遊技盤６２を置いて図５の紙面の前側から見た場合に特定される方向である。「前」および「表」は、同じ方向である。「後」および「裏」は、同じ方向である。
【０００７】
図１を参照し、可変入賞装置１の構造について説明する。可変入賞装置１は、部品基盤２、前開口部３、取付孔４、前隔壁５、前仕切壁６、球取入口部７、開閉体８、入球検出部９、球導出通路１０、球誘導通路１１、上球振分体１２、球停留体１３、停留台１４、下球振分体１５、可動入賞口部１６、上化粧体１７、下化粧体１８、ステージ１９、ステージ入口２０を備える。部品基盤２は、遊技基盤６３に前側から取り付けられる板状であって、光遮蔽性の有る有色な合成樹脂により構成される。前開口部３は、部品基盤２の中央部に前後方向への貫通孔として設けられる（図４参照）。取付孔４は、遊技基盤６３に部品基盤２を固定する止ねじを挿入するものであって、部品基盤２の周縁部に前後方向への貫通孔として設けられる。前隔壁５は、前開口部３を塞ぐ板状であって、光透過性の有る無色な合成樹脂により構成され、部品基盤２に固定される。前仕切壁６は、遊技基盤６３の遊技領域６４から球を進入させない内部領域を囲むものであって、部品基盤２の前面および前隔壁５の前面から前側に突出し、前開口部３の周縁部に沿って、前隔壁５の前面を囲む前面視環状の塀を構成する。球取入口部７は、遊技領域６４から球を内部領域に進入させるために、前仕切壁６の上部が除去された部分として、前仕切壁６の上部に設けられる。
【０００８】
開閉体８は、左右一対として、球取入口部７に設けられる。開閉体８が開閉軸２１を中心として実線で示すように球取入口部７を閉鎖するように閉じられた場合、開閉体８は前仕切壁６に連なる環状を形成し、球取入口部７が球を開閉体８および前仕切壁６の外側から前仕切壁６の内側における前隔壁５の前面の側に取り込めないようになる。つまり、開閉体８が閉じられた場合において、開閉体８および前仕切壁６で囲まれた前隔壁５の前面が遊技基盤６３の遊技領域６４から球を進入させない内部領域となる。開閉体８が開閉軸２１を中心として仮想線で示すように球取入口部７を開放するように開かれた場合、開閉体８は球取入口部７の左右方向の最大寸法Ｈ１の範囲内に位置し、球取入口部７が球を開閉体８および前仕切壁６の外側から前仕切壁６の内側における前隔壁５の前面の側に取り込めるようになる。
【０００９】
遊技領域６４から球を進入させない内部領域を囲む前仕切壁６の上部に球取入口部７を設け、開閉体８が開閉軸２１を中心として遊技領域６４と平行しつつ上下方向に開閉するように球取入口部７に設けられ、開閉体８が球取入口部７の左右方向の最大寸法Ｈ１の範囲内で開くので、前仕切壁６の左右方向の最大外径Ｈ２が遊技領域６４の左右方向の最大内径Ｈ３（図７参照）の例えば半分程度に大きく設定されても、開いた開閉体８が最大外径Ｈ２と最大内径Ｈ３との間の隙間を狭くすることがなく、最大外径Ｈ２と最大内径Ｈ３との間の隙間に遊技釘や風車あるいは入賞部品などの障害部材を配置して、球の流れに変化を多く与えられたり、球が入賞したり入賞しなかったりすること（球が入賞するか否かの偶然性）が多くなり、遊技性を向上することができる。
【００１０】
開閉軸２１を閉じられた開閉体８と前仕切壁６とからなる環状の内周縁よりも内部領域の側に位置をずらして設けたので、開閉体８が開いた場合において、開閉体８の開放側端部２２が可変入賞装置１よりも上方に突出する距離は、開閉軸２１に相当する仮想軸Ｌ１が開閉体８の裏側に位置するように設けられた場合に比べ、少なくなる。よって、遊技釘などの障害部材が、開閉体８の開閉に支障を来たすことのない範囲で、可変入賞装置１の近くに位置するように、遊技基盤６３に設けられるという利点がある。
【００１１】
入球検出部９は、開放した開閉体８から排出された球を取り込み、取り込んだ球を前隔壁５の裏側に排出するものであって、球取入口部７よりも下部で、球取入口部７の真下に位置し、前隔壁５から前側に突出して、前隔壁５に設けられ、入球検出器２３を備える。入球検出器２３は、前隔壁５の裏側から入球検出部９の内部に設けられ、入球検出部９を通過する球を検出して球検出信号を出力する。球導出通路１０は、入球検出部９から前隔壁５の裏側に排出された球を、前隔壁５の裏面に沿って球誘導通路１１に誘導する。球導出通路１０の前面は、前隔壁５の裏面で形成される。球導出通路１０の裏面は、前隔壁５の裏側に前隔壁５と平行に配置された上化粧体１７の前面で形成される。球導出通路１０の底面は、前隔壁５の裏面と上化粧体の前面とに連接された横板の上面で形成され、入球検出部９の球出口から球誘導通路１１の側に下り勾配となる斜面として構成される。
【００１２】
球誘導通路１１は、前隔壁５の裏側において、球導出通路１０から排出された球を、前仕切壁６の裏側に沿って下方に誘導して上球振分体１２の上に排出する。球誘導通路１１の左面と右面および裏面は、前隔壁５の裏面に取り付けられた光透過性の有る無色な合成樹脂からなる通路構造体で形成される。球誘導通路１１の前面は、前隔壁５の裏面で形成される。通路構造体の裏側には表示灯基板が配置される。表示灯基板の前面にはＬＥＤなどの表示灯が実装される。前仕切壁６の前部には、凸レンズが設けられる。よって、表示灯が点灯して球誘導通路１１と球誘導通路１１を通過する球および凸レンズを照明し、凸レンズが球誘導通路１１を通過する球を拡大して可変入賞装置１の前側から見えるようにする。
【００１３】
球導出通路１０の前面および球誘導通路１１の前面が光透過性の有る無色な合成樹脂からなる前隔壁５の裏面で形成されたので、開閉体８の前誘導面４０（図３のｂ図参照）と入球検出部９および前仕切壁６における球誘導通路１１と対応する部分が可変入賞装置１の前側からそれらの裏側まで見えるように例えば光透過性の有る素材で形成されたりまたは貫通孔を有するようにすれば、遊技領域６４から、開いた開閉体８、球取入口部７、入球検出部９、球導出通路１０、球誘導通路１１を順に経由して上球振分体１２の上に到達するまでの球を、可変入賞装置１の前側から遊技者に見せることができるという利点がある。
【００１４】
上球振分体１２は、前仕切壁６で囲まれた内部領域の上下方向の中段に位置するように前隔壁５の裏側に配置された板状であって、下化粧体１８やステージ１９の裏側に設けられた図外の振分駆動機構によって、左右前部を中心として、上下動することによって、球誘導通路１１から排出された球を左右に振り分ける。球停留体１３は、上球振分体１２と下球振分体１５との間に位置するように前隔壁５の裏側に配置され、下化粧体１８やステージ１９の裏側に設けられた図外の停留駆動機構によって、左右下部を中心として、前側に垂直状に起立したり後側に水平状に倒伏したりする。球停留体１３が図示のように起立した場合、球停留体１３が上球振分体１２の前落下口２４から落下した球を停留台１４の上に停留するように受け止める。球停留体１３が倒伏した場合、停留台１４の上に停留した球が球停留体１３の上を通過して下球振分体１５の上に排出される。停留台１４は、球停留体１３と前隔壁５との間に配置される。
【００１５】
下球振分体１５は、静止した状態で前隔壁５の裏側に配置され、前側から後側への下り勾配の斜面を構成し、球停留体１３から排出された球を前側から後側に流下させる過程で左右に振り分ける。可動入賞口部１６は、前隔壁５の裏側に配置され、下化粧体１８やステージ１９の裏側に配置された図外の入賞駆動機構によって、左右に往復移動する。そして、上球振分体１２から後側または下球振分体１５から後側に排出された球は、可動入賞口部１６または図外の外れ口部のいずれかに取り込まれる。外れ口部は、上方に開口した凹部を備え、凹部内を可動入賞口部１６が左右に往復移動するので、可動入賞口部１６に入らない球が外れ口部に入る。可動入賞口部１６に入った球は、可動入賞口部１６に対応して設けられた図外の入賞球検出器で検出された後に下方に排出される。外れ口部に入った球は、外れ口部に対応して設けられた図外の外れ球検出器で検出された後に下方に排出される。
【００１６】
可変入賞装置１の前側から上化粧体１７と下化粧体１８との間を通して可変入賞装置１の裏側まで視認可能であるので、上化粧体１７と下化粧体１８との間の裏側を光遮蔽性の有る部材で目隠ししないで、上化粧体１７と下化粧体１８との間の裏側に液晶表示器などからなる画像表示器の表示画面を配置すれば、上球振分体１２、球停留体１３、停留台１４、下球振分体１５、可動入賞口部１６のそれぞれに関わる球と、画像表示器の表示画面で表示される演出表示画像との双方を、可変入賞装置１の前側から遊技者に見せることができるという利点がある。
【００１７】
下化粧体１８は、可変入賞装置１の前側から下球振分体１５よりも下部が見えないように目隠しする有色な合成樹脂により構成され、前隔壁５の前側に設けられる。ステージ１９は、部品基盤２の前面から後側に窪むように有色な合成樹脂により構成され、部品基盤２の前面にだけ開口した空間であって、遊技領域６４からステージ入口２０を経由して取り込まれた球を、左右に自在に躍らせた後、中央の凹部から下方の遊技領域６４に落下させる。ステージ入口２０は、遊技領域６４から前仕切壁６の側に進行した球を斜め上方から下方に取り込んだ後、前側から後側に誘導してステージ１９の右または左の側部に排出する。
【００１８】
図２を参照し、可変入賞装置１では、開閉体８および開閉駆動機構２６が左右に１組ずつ設けられるが、可変入賞装置１を前側から見た場合の右側の１組を例とし、開閉体８を開閉する開閉駆動機構２６の構造について説明する。開閉駆動機構２６は、開閉軸２１、電磁ソレノイド２７、ばね２８、連結体２９、駆動レバー３０を備える。開閉軸２１、電磁ソレノイド２７、ばね２８、連結体２９、駆動レバー３０は、部品基盤２の裏側に設けられるので、点線で示すべきところ、図を明確にする趣旨で、実線で示す。電磁ソレノイド２７の可動鉄心３１が上下方向に可動するように、電磁ソレノイド２７が部品基盤２の裏面に配置された機構取付盤４２（図４参照）の裏面に固定される。ばね２８は、ばね力を可動鉄心３１に下向きに与える。連結体２９には、横長な連結孔３２が、前後方向への貫通孔として設けられる。
【００１９】
駆動レバー３０は、互いに交差する２つのアーム３３；３４を備える。２つのアーム３３；３４が互いに交差する部分には、開閉軸２１が設けられる。開閉軸２１は機構取付盤４２に支持される。アーム３３の先端部には、連結棒３５が設けられる。連結棒３５は、連結孔３２に嵌め込まれる。アーム３４の先端部には、支持棒３６が固定される。支持棒３６には、開閉体８の中央部が固定される。支持棒３６におけるアーム３４と開閉体８との間に位置する部分が、前隔壁５に設けられた逃避孔３７を前後方向に貫通する。
【００２０】
開閉体８を開閉する動作について説明する。電力が電磁ソレノイド２７の励磁コイルに供給されていない場合、可動鉄心３１の下端部がばね２８のばね力によって励磁コイルより離れるように下方に突出し、連結体２９が駆動レバー３０のアーム３３の先端部を押し下げ、アーム３３の先端部が開閉軸２１を中心として下方に回転し、アーム３４の先端部が開閉軸２１を中心として上方に回転する。つまり、開閉体８が実線で示すように開閉軸２１を中心として球取入口部７を閉鎖する。
【００２１】
電力が電磁ソレノイド２７の励磁コイルに供給されている場合、電磁ソレノイド２７の固定鉄心がばね２８のばね力に抗して可動鉄心３１の上端部を磁力で上方に吸引し、可動鉄心３１の下端部が励磁コイルに近づくように上方に移動し、連結体２９が駆動レバー３０のアーム３３の先端部を持ち上げ、アーム３３の先端部が開閉軸２１を中心として上方に回転し、アーム３４の先端部が開閉軸２１を中心として下方に回転する。つまり、開閉体８が仮想線で示すように開閉軸２１を中心として球取入口部７を開放する。
【００２２】
開閉軸２１が開閉体８の右側端部の側に設けられてもよいが、開閉軸２１が開閉体８の左右方向の幅における中央部の側に設けられたので、開閉体８が開いた場合において、開閉体８の開放側端部２２が可変入賞装置１よりも上方に突出する距離は、開閉軸２１が開閉体８の右側端部の側に設けられた場合に比べ、少なくなる。よって、遊技釘などの障害部材が、開閉体８の開閉に支障を来たすことのない範囲で、可変入賞装置１の近くに位置するように、遊技基盤６３に設けられるという利点がある。開閉体８が左側の場合は、開閉体８の右側端部を左側端部と読み替えれば、同様に適用できることは理解できるであろう。
【００２３】
図３のａ図およびｂ図を参照し、可変入賞装置１を前側から見た場合の右側の１組を例とし、球Ｐが可変入賞装置１の上方から開放した開閉体８を経由して入球検出部９に導かれる構造について説明する。図３のａ図に示すように、開閉体８の支持棒３６よりも開放側端部２２の側には、球導入通路３８が設けられる。図３のｂ図に示すように、球導入通路３８は、縦誘導面３９および前誘導面４０を備える。縦誘導面３９は、部品基盤２に直交する方向の面であって、開閉体８が図３のａ図に示すように開放した場合、球Ｐを矢印Ｘで示すように上から下に行くにしたがって弧状の経路で入球検出部９の側に誘導する主面として構成される。前誘導面４０は、部品基盤２に平行する方向の面であって、前仕切壁６に連なる主面として構成される。前誘導面４０と部品基盤２の前面との間には、１個の球Ｐを収容し得る隙間が形成される。縦誘導面３９および前誘導面４０が互いに直交する。そして、図３のａ図において、開閉体８が開放状態になり、球Ｐが上方から球導入通路３８に取り込まれると、球導入通路３８は当該球Ｐを入球検出部９の上方に向けて排出する。戻し壁４１は、前隔壁５から前側に突出し、開閉体８の側から入球検出部９を越えた球を入球検出部９の側に戻す斜面を構成する。
【００２４】
図４を参照し、可変入賞装置１における上部の構造について説明する。部品基盤２の裏側には、機構取付盤４２が、部品基盤２と平行に離れて配置され、部品基盤２に取り付けられる。機構取付盤４２の裏側には、ソレノイド取付盤４３が、機構取付盤４２と平行に離れて配置され、機構取付盤４２に取り付けられる。ソレノイド取付盤４３の前面には、電磁ソレノイド２７の励磁コイルを内包するケースが取り付けられる。部品基盤２の前面には、開放ストッパ４４および閉鎖ストッパ４５が設けられる。開放ストッパ４４は、逃避孔３７よりも下部の位置から前側に突出した突起として構成される。閉鎖ストッパ４５は、開閉体８が開放状態から閉鎖状態に閉じた場合、開閉体８の開放側端部２２を受け止め、遊技領域６４を流下する球が開閉体８の開放側端部２２を直撃しないように、開閉体８の開放側端部２２を保護する（図１参照）。
【００２５】
支持棒３６における逃避孔３７を経由して部品基盤２よりも前側に突出した前部には、抜止体４６および回転阻止部４７が設けられる。抜止体４６は、支持棒３６に固定され、支持棒３６の前部が部品基盤２の側に移動した場合に、抜止体４６が部品基盤２における逃避孔３７の周りに接触し、それ以上、支持棒３６の前部が部品基盤２の側に移動しないように、抜止体４６が作用する。回転阻止部４７は、支持棒３６の周縁部の一部を平坦に除去し、支持棒３６の軸心と直交する方向の断面が半月形状の異形に形成される。
【００２６】
開閉体８の裏部には、棒取付部４８および開放ストッパ４９が設けられる。棒取付部４８には、棒取付孔およびねじ取付孔が設けられる。棒取付孔は、棒取付部４８の裏面から内部に、棒取付部４８の軸心と直交する方向の断面が半月形状の異形として形成される。ねじ取付孔は、棒取付部４８の外周面と棒取付孔とへの貫通孔の内面に雌ねじの形成されたねじ孔として、棒取付部４８の径方向に形成される。開放ストッパ４９は、棒取付部４８よりも下部の位置において、開閉体８の裏面から内部への窪みとして構成される。
【００２７】
そして、開閉体８の裏部が部品基盤２の前面の側に向けられ、開放ストッパ４４；４９が相互に嵌め合わされ、棒取付孔が支持棒３６の前側から回転阻止部４７に嵌め込まれた後、図外の止ねじが棒取付部４８の径方向外側からねじ取付孔に装着され、止ねじが回転阻止部４７に接触することによって、開閉体８が支持棒３６の前部に固定される。そして、開閉体８が開放された場合、開放ストッパ４４；４９が互いに接触するかまたは接触する程度に近づく。開閉体８が閉鎖された場合、開放ストッパ４４；４９が互いに最も離れる。
【００２８】
図５を参照し、パチンコ遊技機の構造について説明する。パチンコ遊技機は、遊技機枠５１の内部に遊技盤６２を交換可能に格納した形態である。遊技機枠５１は、固定枠５２の前側に可動枠５３を開閉可能に備え、可動枠５３の前側に前扉５４および皿構造体５５を開閉可能に備える。固定枠５２は、遊技機設置構造体に取り付けるための外枠とも呼ばれる。遊技機設置構造体は、遊技店のパチンコ遊技機を設置する島とも呼ばれる設備である。可動枠５３は、左側に位置するヒンジ５６を中心とし、固定枠５２の前側で前側に開かれかつ後側に閉じられるように、片開き可能であって、遊技盤６２、球発射機構５７、図外の球払出機構、図外の払出制御装置、図外の発射制御装置など遊技に必要な部品を取り付ける前枠とも呼ばれる。球払出機構、払出制御装置、発射制御装置は、可動枠５３の裏部に設けられる。前扉５４および皿構造体５５は、個別に、左側に位置する図外のヒンジを中心とし、可動枠５３の前側で前側に開かれかつ後側に閉じられるように、片開き可能である。前扉５４は、パネル枠とも呼ばれ、前後方向に貫通する窓５８を備える。窓５８は、前面パネル５９で塞がれる。前面パネル５９は、前扉５４の裏面に設けられた光透過性の有る無色なガラスのような板状の部材により構成される。皿構造体５５の前面には、球受皿６０および球発射操作機構６１が設けられる。
【００２９】
遊技盤６２は、遊技基盤６３に、多種多様な遊技部品を備える。遊技基盤６３の前面には、遊技領域６４が設けられる。遊技領域６４は、遊技盤６２の前面の内ガイドレール６５および外ガイドレール６６で囲まれた内側の部分である。遊技領域６４の左側には、球発射通路６７が接続される。球発射通路６７は、内ガイドレール６５の左側部と外ガイドレール６６の左側部との間の隙間によって形成される。遊技領域６４には、アウト口６８、球戻り防止弁６９、球反発体７０、始動部品７１、可変入賞装置１、図外の入賞部品、図外の遊技釘などが設けられる。内ガイドレール６５、外ガイドレール６６、アウト口６８、球戻り防止弁６９、球反発体７０、始動部品７１、可変入賞装置１、風車７２、図柄表示器７３、図外の入賞部品、図外の遊技釘、図外の演出表示器などは、遊技基盤６３の前側に設けられる多種多様な遊技部品を構成する。遊技基盤６３の裏部には、図外の主制御装置、図外の演出制御装置が設けられる。
【００３０】
遊技盤６２が遊技機枠５１に格納された場合、遊技領域６４は、遊技機枠５１の前側から窓５８および前面パネル５９を経由して視認される。その状態において、遊技者が球受皿６０にパチンコ球と呼ばれる球を入れ、遊技者が球発射操作機構６１を右回りに操作すると、球発射機構５７が球発射操作機構６１の操作量に応じた発射力で駆動し、球発射機構５７が球受皿６０から遊技機枠５１の内部に取り込まれた球を１個ずつ球発射通路６７に向けて発射する。球発射通路６７に発射された球は、球戻り防止弁６９を押し開けて遊技領域６４に到達する。遊技領域６４に到達した球は、遊技領域６４を流下する過程において、遊技部品に衝突して、流れる方向を変えながら、始動部品７１、可変入賞装置１、図外の入賞部品のいずれかに入って遊技盤６２の裏側に排出される。始動部品７１、可変入賞装置１、図外の入賞部品のいずれにも入らないで、遊技領域６４の最下部に到達した球は、アウト口６８から遊技盤６２の裏側に排出される。球が始動部品７１、可変入賞装置１、図外の入賞部品のいずれかに入ると、図外の球払出機構が賞球としての球を遊技者に与えるように球受皿６０に払い出す。
【００３１】
パチンコ遊技の一例について説明する。遊技領域６４を流下する球が始動部品７１に入賞し、始動部品７１に入賞した球を検出した入賞球検出器が入賞信号を主制御装置に出力すると、主制御装置に内蔵されたコンピュータが内部抽選処理および図柄表示器７３に主図柄の変動表示を開始させる。内部抽選処理の結果としては、例えば、大当たりまたは小当たりのいずれかが選択される。大当たりの場合、主図柄の変動表示を開始から所定時間後に、主制御装置のコンピュータが図柄表示器７３に主図柄の変動停止を行い、図柄表示器７３が大当たり図柄として定められた主図柄を停止表示する。引き続き、主制御装置のコンピュータが大当たり遊技として主制御装置のコンピュータのプログラムに定められたラウンド遊技を処理するように電磁ソレノイド２７（図２参照）を制御し、可変入賞装置１の開閉体８が開閉をラウンド遊技の範囲で繰り返す。
【００３２】
小当たりの場合、主図柄の変動表示を開始から所定時間後に、主制御装置のコンピュータが図柄表示器７３に主図柄の変動停止を行い、図柄表示器７３が小当たり図柄として定められた主図柄を停止表示する。引き続き、主制御装置のコンピュータが小当たり遊技として主制御装置のコンピュータのプログラムに定められた範囲で電磁ソレノイド２７（図２参照）を制御し、可変入賞装置１の開閉体８が開閉を１回または数回行う。この小当たり遊技中における開閉体８の開放中において、球が遊技領域６４から開いた開閉体８、球取入口部７、入球検出部９、球導出通路１０、球誘導通路１１、上球振分体１２または球停留体１３、停留台１４、下球振分体１５を順に経由して可動入賞口部１６に入賞し、可動入賞口部１６に対応して設けられた入賞球検出器が入賞信号を主制御装置に出力すると、主制御装置のコンピュータがラウンド遊技を処理するように電磁ソレノイド２７（図２参照）を制御し、可変入賞装置１の開閉体８が開閉をラウンド遊技の範囲で繰り返す。
【００３３】
主制御装置は、入球検出器２３からの球検出信号と、外れ球検出器からの球検出信号と可動入賞口部１６に対応して設けられた入賞球検出器からの入賞信号とによって、可変入賞装置１への球の入りと出とを監視する。
【産業上の利用可能性】
【００３４】
図１において、開閉体８が開閉軸２１を中心として仮想線で示すように球取入口部７を開放するように開かれた場合、開閉体８が球取入口部７の左右方向の間口である最大寸法Ｈ１の範囲以上で前仕切壁６の左右方向の最大外径Ｈ２の範囲内に位置してもよく、このように開いた開閉体８が最大寸法Ｈ１から最大外径Ｈ２までの範囲に位置すれば、開閉体８が最大寸法Ｈ１の範囲内で開かれた場合よりも、球取入口部７が球を開閉体８および前仕切壁６の外側から前仕切壁６の内側における前隔壁５の前面の側に取り込み易くなる。開閉体８は１つでもよい。左右一対の開閉体８を１つの電磁ソレノイド２７（図４参照）で開閉してもよい。
【００３５】
図６を参照し、異なる形態に係る開閉体８を開閉軸２１に結合する構造について説明する。開閉軸２１が前隔壁５の裏側から前隔壁５を回転可能に貫通して前隔壁５の前側に突出するように延長され、軸取付部７４が開閉体８から開閉軸２１の側に設けられ、開閉軸２１の前隔壁５よりも前側に突出した部分が軸取付部７４に固定される。そして、図２において、開閉軸２１の前隔壁５よりも裏側の部分にはアーム３３が固定され、連結棒３５が連結孔３２に挿入される。これによって、電磁ソレノイド２７の可動鉄心３１が上下動するのに伴い、開閉体８が実線および仮想線で示すように開閉軸２１を中心として開閉する。この異なる形態では、図２におけるアーム３４、支持棒３６、逃避孔３７が不要となり、構造が簡単になるという利点がある。
【図面の簡単な説明】
【００３６】
【図１】可変入賞装置の正面図（最良の形態）。
【図２】開閉駆動機構の模式図（最良の形態）。
【図３】ａ図は開かれた開閉体の正面図、ｂ図は開閉体の縦断面図（最良の形態）。
【図４】可変入賞装置の上部の分解斜視図（最良の形態）。
【図５】パチンコ遊技機の正面図（最良の形態）。
【図６】可変入賞装置の正面図（異なる形態）。
【図７】遊技盤の正面図（従来）。
【符号の説明】
【００３７】
１  可変入賞装置、５  前隔壁（内部領域）、６  前仕切壁、７  球取入口部、
８  開閉体、９  入球検出部、１０  球導出通路、１１  球誘導通路、
１２  上球振分体、２１  開閉軸。
【図１】
2008005978.tif 000003
【図２】
2008005978.tif 000004
【図３】
2008005978.tif 000005
【図４】
2008005978.tif 000006
【図５】
2008005978.tif 000007
【図６】
2008005978.tif 000008
【図７】
2008005978.tif 000009